(57)【要約】      （修正有）【課題】内皮と外皮との間に存在する異物の排出を防止するために、排出口が二重に構成されたコンテナバッグ用内皮及びそれを含むコンテナバッグ。【解決手段】内皮排出口１０と、前記内皮排出口１０の内側に熱融着された熱融着部によって設けられた排出口の内側当付部１１で備えられた円筒状の内皮と、前記内皮を内蔵させるように形成された直方体状または円筒状であり、上下部の中央に内皮の内皮投入口２０及び内皮排出口１０が貫通されるように設けられた、上下部に延長して設けられた外皮排出口３０、及び外皮投入口４０が備えられた外皮２と、前記外皮２の上部両側面に一定間隔に離隔して設けられた４つのハンドル部７０と、内皮の内皮投入口２０及び内皮排出口１０に結束紐で構成された排出口が二重に構成されたコンテナバッグ用の内皮及びそれを含む構成とする。【選択図】図２
2015151194.tif 000002
【特許請求の範囲】
【請求項１】
排出口が二重に構成されたコンテナバッグ用の内皮において、
円筒状の内皮１の下部に設けられた内皮排出口１０と、前記内皮排出口１０の内側に熱融着された熱融着部１５によって設けられた排出口の内側当付部１１と、を含めて構成されたことを特徴とする、排出口が二重に構成されたコンテナバッグ用の内皮。
【請求項２】
排出口が二重に構成されたコンテナバッグ用の内皮を含むコンテナバッグにおいて、
内皮排出口１０と、前記内皮排出口１０の内側に熱融着された熱融着部１５によって設けられた排出口の内側当付部１１で備えられた円筒状の内皮１と、前記内皮１を内蔵させるように形成された直方体状または円筒状であり、上下部の中央に内皮１の内皮投入口２０及び内皮排出口１０が貫通されるように設けられた、上下部に延長して設けられた外皮排出口３０及び外皮投入口４０が備えられた外皮２と、前記外皮２の上部両側面に一定間隔に離隔して設けられた４つのハンドル部７０と、内皮１の内皮投入口２０及び内皮排出口１０に結束紐６０を含めて構成されたことを特徴とする、排出口が二重に構成されたコンテナバッグ用の内皮を含むコンテナバッグ。
【発明の詳細な説明】
【技術分野】
【０００１】
本発明は、内皮と外皮との間に存在する異物の排出を防止するために、排出口が二重に構成されたコンテナバッグ用の内皮及びそれを含むコンテナバッグに関する。
【背景技術】
【０００２】
一般的に、レジン（Ｒｅｓｉｎ）のような化学薬品やセメントなどのような粉状物または穀物のような粒状物を多量入れて陸上及び海上に輸送する際、主にコンテナバッグが使用されている。
【０００３】
このようなコンテナバッグは、繊維材又は合成樹脂材で製織し、コンテナバッグの外形を維持すると共に、強度を維持する外皮が設けられ、さらに、防水性を有するビニール類などで前記外皮の内面と併合される内皮を形成し、この内皮を前記外皮の内に挟み込んで使用する。
【０００４】
このように、従来の内皮は外皮からの分離が可能であり、この内皮に内容物を保管し、内皮の長さが外皮の長さより一層長く製作されている。
【０００５】
前記コンテナバッグの外皮の外形的な構成について説明すると、積荷物を積もることのできる容積を有する袋の本体を構成し、この袋の本体の上部には蓋部が形成され、袋の本体の下部には底部がそれぞれ形成されており、これらの蓋部と底部とのそれぞれは開放されている。
【０００６】
さらに、前記袋の本体の上側の周りには、運搬ロープが挟み込まれている。
【０００７】
尚、前記内皮も外皮のように上下方が開放された形状を有している。
【０００８】
このようなコンテナバッグを使用して運搬物を運搬しようとする場合は、蓋部を開き、外皮の内部にある内皮の上端部を固定させた後、内容物を投入し、内容物の投入が完了すれば、内皮の上端部と外皮の蓋部とを同時に紐で縛る。
【０００９】
さらに、前記運搬ロープを運搬機器のフックにかけて運搬したり、コンテナバッグをパレットに載せておいた状態でフォークリフトを使用して、前記フォークリフトのフォークを前記パレット内の挿入口に挿入した後、所定の高さまで持ち上げて輸送した上、運搬場所で待機及び保管する。
【００１０】
特許文献１には、多数個の支持部材の両末端に切曲面を形成し、前記切曲面が前記内壁体部材の切開孔を貫通して外壁体部材に結合及び固定することで、前記液状、粒状、粉末物質、及びその他のバルク物質などのような流動性物質である受け入れ物を受け入れることによって発生する膨張圧力による内外皮の損傷を源泉的に防止し、受け入れ物の外部への流出を軽減させることができ、さらに、コンテナに一列に収納又は積層収納の際に、外壁体部材までの圧力が及ばないことによって、従来のコンテナバッグより相対的に密集して収納できるようにした経済性を図ったコンテナバッグ製造方法及びコンテナバッグ構造が公開されている。
【００１１】
特許文献２には、一側が開口されており、平端面が正方形である外部部材、及び一側が開口されており、外部部材の開口された一側と連通し、平端面が正方形である外皮と、外皮の内部で外皮の各角に角空間部が形成されるように隔壁を成し、互いに接合する内皮が具備され、外部部材の内部に配置される内部部材を含み、内皮の周縁の長さＬ２２０、外皮の周縁の長さＬ２１０、及び外部部材の周縁の長さＬ１００は次の関係式１を満たし、外部部材、内部部材の外皮、及び内部部材の内皮の各引張強度σは次の関係式２を満たすことを特徴とするバルク貨物運搬用多重袋形式のコンテナバッグが記載されている。
【００１２】
特許文献３には、柔軟性のある合成樹脂の材質からなる原反を長さ方向に長く長方形のシート状でボックス状の外皮１を構成する外壁体部材１０と内皮２０を構成する多数個の内壁体部材２１を裁断した後、前記裁断された多数個の外壁体部材１０及び内壁体部材２１の長さ方向の中央にラウンディング処理され、折曲形状を維持して角部１００、２１０を形成し、前記外壁体部材１０の内側に前記内壁体部材２１を縫製処理して行われた通常のコンテナバッグ製造方法において、前記内壁体部材２１の内側に備えられ、別途の柔軟性のある合成樹脂の材質からなる原反を長さ方向に長く長方形のペーパー２２０を裁断した後、前記裁断されたそれぞれのペーパー２２０を前記内皮２０を成しているそれぞれの内壁体部材２１の間に縫製処理することにおいて、前記ペーパー２２０を共に挿入して３重重畳縫製線２２１で縫製処理し、菱形状のペーパー部材２２を形成し、前記内壁体部材２１の内側に菱形状のペーパー部材２２を共に縫製した後、前記縫製された内皮２０及びペーパー部材２２を前記フォームが形成された外皮１を成しているそれぞれの外壁体部材１０の間に縫製処理された２重重畳縫製線１０１に前記内皮２０及びペーパー部材２２を挿入し、４重重畳縫製線２２２で縫製処理し、前記内皮２０及びペーパー部材２２は前記外皮１の底面から２／３の高さまで形成することを特徴とするコンテナバッグ製造方法と、柔軟性のある合成樹脂の材質からなる原反を長さ方向に長く長方形のシート状でボックス状の外皮１を構成する外壁体部材１０と柔軟性のある合成樹脂の材質からなる原反を長さ方向に長く長方形のシート状でボックス状の内皮２０を構成する内壁体部材２１からなる通常のコンテナバッグ構造において、前記内壁体部材２１の内側に備えられ、別途の柔軟性のある合成樹脂の材質からなる原反を長さ方向に長く長方形に裁断されたペーパー２２０を菱形状に結合したペーパー部材２２と、前記裁断されたそれぞれのペーパー２２０を前記内皮２０を成しているそれぞれの内壁体部材２１の間に挿入縫製処理して形成された３重重畳縫製線２２１と、前記３重重畳縫製線２２１によって結合された内皮２０及びペーパー部材２２を前記それぞれの外壁体部材１０の間に縫製処理された２重重畳縫製線１０１に挿入して４重重畳縫製線２２２を形成し、前記内皮２０及びペーパー部材２２は、前記外皮１の底面から２／３の高さまで形成されたコンテナバッグ構造をその構成的特徴とするコンテナバッグ製造方法及びコンテナバッグが公開されている。
【００１３】
特許文献４には、十文字状の隔壁の形態で中央に多数個の通孔が備えられた補強台１と、前記補強台１が内蔵されて十文字に連結された第１の内皮２で備えられた第１の内部部材３と、前記第１の内部部材３が内蔵され、円形状（上下が開放された円形袋）の防水材質である第２の内皮４で備えられた第２の内部部材５と、前記第２の内部部材５の上下部を加熱収縮または上下部投入及び排出口が狭く形成された変形第２の内部部材６と、前記変形第２の内部部材６が内蔵され、上下部に投入及び排出口が備えられ、上部の角部分に多数個の移動輪２０が備えられた外皮７で構成されたコンテナバッグ構造が公開されている。
【先行技術文献】
【特許文献】
【００１４】
【特許文献１】韓国登録特許公報第１０−１０３２１４７号
【特許文献２】韓国登録特許公報第１０−１１４４４３２号
【特許文献３】韓国登録特許公報第１０−１０１１５０３号
【特許文献４】韓国登録実用新案公報第２００４−１３２０９号
【発明の概要】
【発明が解決しようとする課題】
【００１５】
上記のように、従来の技術は、外皮と内皮との間に存在する異物が排出口を通じて共に下部に排出されるか、排出口の外皮に位置した異物が排出口を通じて原料排出時に混入され、不良品を作るという不便な問題点が本発明の解決課題である。
【課題を解決するための手段】
【００１６】
上記のような課題を解決するために、本発明は、内皮排出口１０と、前記内皮排出口１０の内側に熱融着された熱融着部１５によって設けられた排出口の内側当付部１１で備えられた円筒状の内皮１と、前記内皮１を内蔵させるように形成された直方体状または円筒状であり、上下部の中央に内皮１の内皮投入口２０及び内皮排出口１０が貫通されるように設けられた、上下部に延長して設けられた外皮排出口３０及び外皮投入口４０が備えられた外皮２と、前記外皮２の上部両側面に一定間隔に離隔して設けられた４つのハンドル部７０と、内皮１の内皮投入口２０及び内皮排出口１０に結束紐６０で構成された排出口が二重に構成されたコンテナバッグ用の内皮及びそれを含むコンテナバッグを提供することが本発明の課題解決の手段である。
【発明の効果】
【００１７】
本発明は、排出口が二重に構成された内皮を使用することで、外皮と内皮との間に存在する異物が排出口を通じて共に下部に排出されないようにするか、コンテナバッグの下部に取り付けられた異物が排出口を通じて原料排出時に混入されないようにして、原料に異物が含まれないようにして原料の不良率を減少させる長所がある。
【図面の簡単な説明】
【００１８】
【図１】本発明の排出口が二重に構成されたコンテナバッグ用の内皮の詳細図である。それぞれ排出口と排出口の内側当付部のサイズが異なる場合（Ａ）、同一である場合（Ｂ）を示す図である。
【図２】本発明の排出口が二重に構成されたコンテナバッグ用の内皮を含むコンテナバッグの正端面の詳細図である。
【図３】本発明の排出口が二重に構成されたコンテナバッグ用の内皮を含むコンテナバッグの全体図である。
【図４】本発明の排出口が二重に構成されたコンテナバッグ用の内皮を含むコンテナバッグの使用状態図である。
【発明を実施するための形態】
【００１９】
上記のような課題を解決するために、本発明は、内皮排出口１０と、前記内皮排出口１０の内側に熱融着された熱融着部１５によって設けられた排出口の内側当付部１１で備えられた円筒状の内皮１と、前記内皮１を内蔵させるように形成された直方体状または円筒状であり、上下部の中央に内皮１の内皮投入口２０及び内皮排出口１０が貫通されるように設けられた、上下部に延長して設けられた外皮排出口３０及び外皮投入口４０が備えられた外皮２と、前記外皮２の上部両側面に一定間隔に離隔して設けられた４つのハンドル部７０と、内皮１の内皮投入口２０及び内皮排出口１０に結束紐６０で構成された排出口が二重に構成されたコンテナバッグ用の内皮及びそれを含むコンテナバッグに関するものである。
【００２０】
本発明のコンテナバッグの内皮は、円筒状であり、下部の内皮排出口が二重に形成され、下部の内側に熱融着させ、排出口の内側当付部１１を設け、使用時には内側の下部に位置した内皮排出口１０を外皮排出口と共に外皮の側面部まで引き上げて位置させ、排出口の内側当付部１１のみ垂直に位置させ、内皮に内蔵された原料を下部に排出させ、内皮と外皮との間に位置した異物が排出される原料に混入されないように構造を改良したものである。
【００２１】
本発明の外皮は、従来の直方体または円筒状の構造をそのまま利用したものである。
【００２２】
本発明は、コンテナバッグの内皮と外皮を内蔵させて固定させる際に、従来の技術のように、内皮と外皮を熱融着させたり、縫製したり、テープを利用して固定させ、また４角形や円形のような形態に区分がなく、付着時に容易である。
【００２３】
尚、本発明は、円筒状または直方体状のコンテナバッグの投入口及び排出口に結束紐及びその他のハンドル部分は、従来のコンテナバッグのハンドルと同様に適用することができる。
【００２４】
以下、本発明について、図面を参考しながら詳しく説明すると、次のようである。
【００２５】
図１は、本発明の排出口が二重に構成されたコンテナバッグ用の内皮の詳細図であり、図１Ａは、排出口と排出口の内側当付部とのサイズが異なる場合、図１Ｂは、排出口と排出口の内側当付部とのサイズが同一である場合であり、図２は、本発明の排出口が二重に構成されたコンテナバッグ用の内皮を含むコンテナバッグの正端面の詳細図であり、図３は、本発明の排出口が二重に構成されたコンテナバッグ用の内皮を含むコンテナバッグの全体図であり、図４は、本発明の排出口が二重に構成されたコンテナバッグ用の内皮を含むコンテナバッグの使用状態を示す図であり、内皮１、外皮２、内皮排出口１０、排出口の内側当付部１１、熱融着部１５、内皮投入口２０、外皮排出口３０、外皮投入口４０、結束紐６０、ハンドル部７０を示したものである。
【００２６】
その構造について説明すると、本発明の排出口が二重に構成されたコンテナバッグ用の内皮は、図１〜図３に示すように、円筒状の内皮１の下部に設けられた内皮排出口１０と、前記内皮排出口１０の内側に熱融着された熱融着部１５によって設けられた排出口の内側当付部１１で構成された構造であり、本発明の排出口が二重に構成されたコンテナバッグ用の内皮が含まれたコンテナバッグは、内皮排出口１０と、前記内皮排出口１０の内側に熱融着された熱融着部１５によって設けられた排出口の内側当付部１１で備えられた円筒状の内皮１と、前記内皮１を内蔵させるように形成された直方体状または円筒状であり、上下部の中央に内皮１の内皮投入口２０及び内皮排出口１０が貫通されるように設けられた上下部に設けられた外皮排出口３０及び外皮投入口４０が備えられた外皮２と、前記外皮２の上部の両側面に一定間隔に離隔して設けられた４つのハンドル部７０と、内皮１の内皮投入口２０及び内皮排出口１０に結束紐６０で構成された構造である。
【００２７】
尚、その使用方法について説明すると、図３に示すように、内皮排出口１０を結束紐６０で縛った後、内皮投入口２０を通じてコンテナバッグの内側に移動させようとする原料を充填させた後、内皮投入口の結束紐６０を縛り、上部の角に設けられたハンドル部７０を利用して荷役させようとするところに移動させた後、図４に示すように、排出口の結束紐６０を解体し、内皮排出口１０を外皮２の外皮排出口３０と共に下部側面の上部に持ち上げ、排出口の内側当付部１１のみ下部に垂直に位置させ、コンテナバッグの内部にある原料を下部に排出して使用する方法である。
【００２８】
本発明のコンテナバッグは、内皮を強力に引っ張ると、外皮から内皮が分離されて、容易にリサイクルすることができる。
【符号の説明】
【００２９】
１    内皮
２    外皮
１０    内皮排出口
１１    排出口の内側当付部
１５    熱融着部
２０    内皮投入口
３０    外皮排出口
４０    外皮投入口
６０    結束紐
７０    ハンドル部
【図１】
2015151194.tif 000003
【図２】
2015151194.tif 000004
【図３】
2015151194.tif 000005
【図４】
2015151194.tif 000006